【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
通信システムにおいて制御チャネルを復号する方法であって、
ユーザ機器（ＵＥ）によって、ネットワークエンティティによってブロードキャストされる前記制御チャネルに関連する制御チャネル限定条件を決定することと、前記制御チャネル限定条件は、前記制御チャネル限定条件を形成しているサブフレームマスクおよび制御チャネル限定タイプに関連する情報を備える、
受信された信号において、前記制御チャネル限定条件に合致し、前記制御チャネル限定タイプおよび前記サブフレームマスクに対応する少なくとも１つのサブフレームを識別することと、
前記制御チャネル限定条件に基づいて、前記ＵＥのサービングネットワークエンティティの隣接しているネットワークエンティティに関連する制御チャネルを検出するために、前記少なくとも１つのサブフレームを復号することと、ここにおいて、前記隣接しているネットワークエンティティに関連する前記制御チャネルは、前記制御チャネル限定条件に合致する、
を備える、方法。
【請求項２】
前記制御チャネル限定条件は、
前記少なくとも１つのサブフレーム中の制御チャネル送信の数に対する限定、
少なくとも１つのダウンリンク制御情報（ＤＣＩ）フォーマットのダウンリンクグラントの数に対する限定、
前記制御チャネルに関連するアグリゲーションレベルの限定、
前記制御チャネルに関連する検索空間に対する限定、前記検索空間は、前記サービングネットワークエンティティおよび前記隣接するネットワークエンティティによって決定されたオーバーラップしていない制御チャネル要素（ＣＣＥ）のセットを備える、または
前記少なくとも１つのサブフレーム中の非連続的な制御チャネル要素（ＣＣＥ）への前記制御チャネルのスケジューリングに対する限定、
を含む、請求項１に記載の方法。
【請求項３】
前記復号することは、前記制御チャネル限定条件に基づいて、前記ネットワークエンティティに関連する前記制御チャネルをブラインド復号することを含む、請求項１に記載の方法。
【請求項４】
前記制御チャネルは物理ダウンリンク制御チャネル（ＰＤＣＣＨ）に対応する、請求項１に記載の方法。
【請求項５】
前記ネットワークエンティティは、前記サービングネットワークエンティティまたは非サービングネットワークエンティティのうちの１つを含む、請求項１に記載の方法。
【請求項６】
前記ネットワークエンティティによって送信されたデータに対して干渉抑制を実行することをさらに備える、請求項１に記載の方法。
【請求項７】
制御チャネルを復号するためのユーザ機器（ＵＥ）の装置であって、
ネットワークエンティティによってブロードキャストされる前記制御チャネルに関連する制御チャネル限定条件と、制御チャネル限定タイプと、前記制御チャネル限定条件を形成しているサブフレームマスクとを決定するように構成された復号コンポーネントと、
受信された信号において、前記制御チャネル限定条件に合致し、前記制御チャネル限定タイプおよび前記サブフレームマスクに対応する少なくとも１つのサブフレームを識別するように構成された識別コンポーネントと、ここにおいて、前記復号コンポーネントはさらに、前記制御チャネル限定条件に基づいて、前記ＵＥのサービングネットワークエンティティの隣接しているネットワークエンティティに関連する制御チャネルを検出するために、前記少なくとも１つのサブフレームを復号するように構成され、ここにおいて、前記隣接しているネットワークエンティティに関連する前記制御チャネルは、前記制御チャネル限定条件に合致する、
を備える、装置。
【請求項８】
前記制御チャネル限定条件は、
前記少なくとも１つのサブフレーム中の制御チャネル送信の数に対する限定、
少なくとも１つのダウンリンク制御情報（ＤＣＩ）フォーマットのダウンリンクグラントの数および前記制御チャネルに関連するアグリゲーションレベルのうちの一方または両方に対する限定、
前記制御チャネルに関連する検索空間に対する限定、前記検索空間は、前記サービングネットワークエンティティおよび前記隣接するネットワークエンティティによって決定されたオーバーラップしていない制御チャネル要素（ＣＣＥ）のセットを備える、または
前記少なくとも１つのサブフレーム中の非連続的な制御チャネル要素（ＣＣＥ）への前記制御チャネルのスケジューリングに対する限定、
を含む、請求項７に記載の装置。
【請求項９】
ネットワークエンティティにおいて制御チャネル送信を限定する方法であって、
制御チャネル限定条件に従って、少なくとも１つのサブフレームについての制御チャネル送信を生成することと、前記制御チャネル限定条件は、前記制御チャネル限定条件を形成しているサブフレームマスクおよび制御チャネル限定タイプに関連する情報を備え、ここにおいて、前記制御チャネル限定条件は、前記制御チャネル限定タイプおよび前記サブフレームマスクに対応する前記少なくとも１つのサブフレーム中の前記制御チャネル送信の配列を限定する、
前記制御チャネル限定条件、前記制御チャネル限定タイプ、および前記サブフレームマスクに基づいて、前記少なくとも１つのＵＥのサービングネットワークエンティティの隣接しているネットワークエンティティに関連する制御チャネルを検出するために、前記少なくとも１つのサブフレームを復号するための少なくとも１つのユーザ機器（ＵＥ）に前記制御チャネル送信を送信することと、
を備える、方法。
【請求項１０】
前記制御チャネル送信を生成することは、
前記少なくとも１つのサブフレーム中の制御チャネル送信の数を限定すること、
前記制御チャネル送信において、少なくとも１つのダウンリンク制御情報（ＤＣＩ）フォーマットのダウンリンクグラントの数を限定すること、
前記制御チャネル送信に関連するアグリゲーションレベルを限定すること、
前記少なくとも１つのサブフレーム中の非連続的な制御チャネル要素（ＣＣＥ）への前記制御チャネルのスケジューリングを限定すること、または
前記制御チャネル送信に関連する検索空間を限定すること、
を含む、請求項９に記載の方法。
【請求項１１】
前記検索空間を限定することは、
アグリゲーションレベルに基づいて、前記ネットワークエンティティに関連する各無線ネットワーク一時識別子（ＲＮＴＩ）に関して前記検索空間を限定すること、または
オーバーラップしていない制御チャネル要素（ＣＣＥ）位置のセットに前記検索空間を限定するために、少なくとも１つの隣接しているネットワークエンティティと協調すること、
を含む、請求項１０に記載の方法。
【請求項１２】
前記制御チャネル限定条件は、１つ以上のユーザ装置による前記少なくとも１つのサブフレーム中の前記制御チャネル送信の前記復号を限定する、請求項９に記載の方法。
【請求項１３】
前記制御チャネル送信は、物理ダウンリンク制御チャネル（ＰＤＣＣＨ）送信に対応する、請求項９に記載の方法。
【請求項１４】
制御チャネル送信を限定するための装置であって、
制御チャネル限定条件に従って、少なくとも１つのサブフレームについての制御チャネル送信を生成することと、前記制御チャネル限定条件は、前記制御チャネル限定条件を形成しているサブフレームマスクおよび制御チャネル限定タイプに関連する情報を備え、ここにおいて、前記制御チャネル限定条件は、前記制御チャネル限定タイプおよび前記サブフレームマスクに対応する前記少なくとも１つのサブフレーム中の前記制御チャネル送信の配列を限定する、
前記制御チャネル限定条件、前記制御チャネル限定タイプ、および前記サブフレームマスクに基づいて、前記少なくとも１つのＵＥのサービングネットワークエンティティの隣接しているネットワークエンティティに関連する制御チャネルを検出するために、前記少なくとも１つのサブフレームを復号するための少なくとも１つのユーザ機器（ＵＥ）に前記制御チャネル送信を送信することと、
を行うように構成された制御チャネル限定コンポーネント
を備える、装置。
【請求項１５】
前記制御チャネル送信を生成するために、前記制御チャネル限定コンポーネントはさらに、
前記少なくとも１つのサブフレーム中の制御チャネル送信の数を限定する、
前記制御チャネル送信中の少なくとも１つのダウンリンク制御情報（ＤＣＩ）フォーマットのダウンリンクグラントの数および前記制御チャネル送信に関連するアグリゲーションレベルの一方または両方を限定する、
前記少なくとも１つのサブフレーム中の非連続的な制御チャネル要素（ＣＣＥ）に前記制御チャネル送信のスケジューリングを限定する、または
オーバーラップしていない制御チャネル要素（ＣＣＥ）位置のセットに検索空間を限定するために、少なくとも１つの隣接しているネットワークエンティティと少なくとも協調することによって、前記制御チャネル送信に関連する前記検索空間を限定する、
ように構成される、請求項１４に記載の装置。